(57)【要約】      （修正有）【課題】シート体に縫着や結切りによらずに容易に取付けられたり取外されたりし、それを介してシート体をなにかに締結することができる締結具及びその応用を提供する。【解決手段】互いに結合／解除できる凹凸一対の押しホック４１，４２からなっているスナップ４０と、その一端が一対の押しホックのいずれか一方に繋がれている紐３０とから構成され、スナップの凸押しホック４１は、その中央近くに凸柱４１１が設けてあり周縁に沿って複数の通孔４１２が開けてある平盤体になっており、また、凹押しホック４２は、その中央近くに凸柱と結合／解除できる係止孔４２１が設けてあり周縁に沿って複数の通孔４２２が開けてある平盤体になっている。【選択図】図１
0003122495.tif 000002
【実用新案登録請求の範囲】
【請求項１】
互いに結合／解除できる凹凸一対の押しホックからなっているスナップと、その一端が前記一対の押しホックのいずれか一方に繋がれている紐とから構成されており、
それにより、前記紐を前記スナップと共にシート体に留めることができることを特徴とする締結具。
【請求項２】
前記スナップと同じ構成を有し、且つ、その一対の押しホックのいずれか一方に前記紐の他端が繋がれている他のスナップを更に有することを特徴とする請求項１に記載の締結具。
【請求項３】
前記紐の他端が前記スナップにおける凹凸一対の押しホックの他方に繋がれていることを特徴とする請求項１に記載の締結具。
【請求項４】
前記スナップの凸押しホックは、その中央近くに凸柱が設けてあり周縁に沿って複数の通孔が開けてある平盤体であり、
凹押しホックは、その中央近くに前記凸柱と結合／解除できる係止孔が設けてあり周縁に沿って複数の通孔が開けてある平盤体であることを特徴とする請求項１に記載の締結具。
【請求項５】
前記凸押しホックも前記凹押しホックも可撓性材料からなっており、
且つ、前記凸押しホックの凸柱は、円柱部と該円柱部の先端に形成された拡径部とからなっており、
前記凹押しホックの係止孔は、その直径が前記円柱部の直径より大であり、前記拡径部の直径より小であり、且つ、その円周の対称的な４ヶ所にそれぞれ凹陥部が開けてある円形の通孔であることを特徴とする請求項４に記載の締結具。
【請求項６】
マスク本体の両側縁における中央近くにそれぞれ一つの請求項１に記載の締結具が他の一つの締結具と対称的に設置されており、且つ、それらの紐の他端が互いに繋がれていることを特徴とするマスク。
【請求項７】
マスク本体の両側縁近くにそれぞれ一対の請求項２に記載の締結具が他の一対の締結具と対称的に設置されていることを特徴とするマスク。
【請求項８】
マスク本体の両側縁における中央近くにそれぞれ請求項３に記載の締結具が設置されていることを特徴とするマスク。
【請求項９】
カバー本体の四隅の内部にそれぞれ一つの請求項２に記載の締結具が設置されていて前記カバー本体がベッドに敷かれる時各締結具の２の押しホックの間に繋がれている紐によりベッドの四隅に引っ掛けてカバー本体を固定することができることを特徴とするベッドカバー。
【考案の詳細な説明】
【技術分野】
【０００１】
この考案は締結具とその応用に関し、特に、シート体に留められてからそれを介してシート体をなにかに締結することができる締結具とそのマスクやベッドカバーへの応用に関する。
【背景技術】
【０００２】
従来のマスクは、マスク本体の左右両側に耳に掛けるための耳掛け紐が取り付けられている。
【０００３】
このような耳掛け紐は、通常、縫着や結切りによりマスク本体にしっかりと固定されているので、取外されにくいが、過去なんらの差し支えもなっていなかった。
【０００４】
しかし、重症急性呼吸器症候群（SARS）や鳥インフルエンザの流行後、マスクを掛けることが、日常重要事になってきている。それにつれて、マスクもお洒落の一部になり、衣服の着用と共に合わせて交換されるのが、多くの人の習慣になっている。ところが、マスクは、前記のように、マスク本体と、該マスク本体を鼻や口の前に掛けるための締結具としての耳掛け紐とからなっているが、衣服と合わせて交換される必要があるのが、主に、デザインに富んでいる上、時には洗濯される必要もあるマスク本体しかない。前記従来のマスク構造であれば、締結具としての耳掛け紐も、マスク本体と共に用意されたり洗濯されたりしなければならないので、前記のような新たな使用習慣に合えない。
【考案の開示】
【考案が解決しようとする課題】
【０００５】
上記に鑑みて、本考案は、シート体に縫着や結切りによらずに容易に取付けられたり取外されたりし、それを介してシート体をなにかに締結することができる締結具を提供しようとすることをその目的とする。
【０００６】
それに、本考案は、前記締結具の応用として、そのシート状のマスク本体と締結具としての耳掛け紐とが縫着や結切りによらずに互いに容易に分離することができるマスク、及び、そのカバー本体がベッドに敷かれる時その四隅をベッドの四隅に引っ掛けることができる締結具を有するものであって、前記締結具がカバー本体の四隅に縫着や結切りによらずに容易に取付けられたり取外されたりすることができるベッドカバーなどをも提供しようとすることをその他の目的とする。
【課題を解決するための手段】
【０００７】
前記目的を達成するために、本考案は、まず、互いに結合／解除できる凹凸一対の押しホックからなっているスナップと、その一端が前記一対の押しホックのいずれか一方に繋がれている紐とから構成された基本構成を有する締結具（請求項１）を提供する。
【０００８】
この基本構成を有する締結具は、マスクやベッドカバーなどへも使用されるが、その使用法は、例えばマスク本体の両側縁における中央近くにそれぞれ一つの請求項１に記載の締結具を他の一つの締結具と対称的に設置し、且つ、それらの紐の他端を互いに繋ぐようにする（請求項６）ことができるばかりでなく、前記基本構成を有する締結具に、前記スナップと同じ構成を有し、且つ、その一対の押しホックのいずれか一方に前記紐の他端が繋がれている他のスナップを更に有するようにさせる（請求項２）ことにより、前記マスク本体の両側縁近くにそれぞれ一対の締結具を他の一対の締結具と対称的に設置して（請求項７）も良く、また、前記基本構成を有する締結具の前記紐の他端を前記スナップにおける凹凸一対の押しホックの他方に繋ぐ（請求項３）上、前記マスク本体の両側縁における中央近くに設置して（請求項８）も良い。そして、ベッドカバーへの応用を例として言えば、カバー本体の四隅の内部にそれぞれ一対の請求項２に記載の締結具を設置して前記カバー本体がベッドに敷かれる時各締結具の２の押しホックの間に繋がれている紐によりベッドの四隅に引っ掛けてカバー本体を固定する（請求項９）ことが挙げられる。
なお、前記スナップは、もちろん従来からのスナップを使用しても良いが、シート体に孔を開けずに、その凸押しホックと凹押しホックとがシート体ごしに直接的に且つしっかりと結合できる構造を有するものが好ましい。例えば、前記スナップの凸押しホックは、その中央近くに凸柱が設けてあり周縁に沿って複数の通孔が開けてある平盤体になっており、また、前記凹押しホックは、その中央近くに前記凸柱と結合／解除できる係止孔が設けてあり周縁に沿って複数の通孔が開けてある平盤体になっている（請求項４）ものが挙げられる。また、前記紐の凸押しホックまたは凹押しホックへの繋がれは、それらの周縁に沿って開けてある通孔によれば良い。
【０００９】
また、前記凸押しホックも前記凹押しホックも可撓性材料からなっており、且つ、前記凸押しホックの凸柱は、円柱部と該円柱部の先端に形成された拡径部とからなっており、前記凹押しホックの係止孔は、その直径が前記円柱部の直径より大であり、前記拡径部の直径より小であり、且つ、その円周の対称的な４ヶ所にそれぞれ凹陥部が開けてある円形の通孔であるもの（請求項５）が更に挙げられる。
【考案の効果】
【００１０】
前記構成による締結具は、シート体に縫着や結切りによらずに容易に取付けられたり取外されたりすることができるので、マスクやベッドカバーなどに応用される場合、マスク本体やカバー本体が取り替えられやすい。
【考案を実施するための最良の形態】
【００１１】
以下、添付図面を参照して本考案の好適な実施の形態を詳細に説明する。なお、図中、似ている部品には、同一の参照符号を付する。
【００１２】
まず、図１〜図４を参照しながら本考案の第１の実施形態例の締結具を説明する。図１は本実施形態例の分解斜視図であり、図２は本実施形態例の組立断面図であり、図３は本実施形態例のシート体に留められた際の断面図であり、図４は本実施形態例のマスクの頭掛け紐として使用されている際の斜視図である。
【００１３】
この実施形態例の締結具は、図１及び図２に示すように、まず、互いに結合／解除できる凹凸一対の押しホック４１、４２からなっているスナップ４０と、その一端が前記一対の押しホック４１、４２における凹押しホック４２に繋がれている紐３０とから構成された。
【００１４】
図示をもっと詳しくみると、凸押しホック４１は、その中央近くに凸柱４１１が設けてあり周縁に沿って四つの通孔４１２が開けてある平盤体になっており、また、凹押しホック４２は、その中央近くに前記凸柱４１１と結合／解除できる係止孔４２１が設けてあり周縁に沿って四つの通孔４２２が開けてある平盤体になっているものである。そして、前記紐３０の凹押しホック４２への繋がれは、その周縁に沿って開けてある通孔４２２によって行われている。
【００１５】
また、凸押しホック４１も凹押しホック４２もプラスチック材料からなっており、且つ、凸押しホック４１の凸柱４１１は、円柱部４１３と該円柱部４１３の先端に形成された拡径部４１４とからなっており、凹押しホック４２の係止孔４２１は、その直径が円柱部４１３の直径より大であり、拡径部４１４の直径より小であり、且つ、その円周の対称的な４ヶ所にそれぞれ凹陥部４２３が開けてある円形の通孔である。それにより、押圧操作で凸押しホック４１と凹押しホック４２とを結合させる際、係止孔４２１の周縁は、まず拡径部４１４による押圧力により一旦変形されて拡径部４１４を通過させ、そして拡径部４１４が係止孔４２１を通過した後、もともとの形状に戻って円柱部４１３に当接し、凸押しホック４１を係止することができ、また、引抜き操作で凸押しホック４１と凹押しホック４２との間の結合を解除する際、係止孔４２１の周縁は、まず拡径部４１４による反対方向の押圧力により一旦変形されて拡径部４１４を通過させ、そして拡径部４１４が係止孔４２１を通過した後、もともとの形状に戻って凸押しホック４１への係止を解除させることができる。
【００１６】
それがために、凸押しホック４１と凹押しホック４２とは、図２に示すように互いに結合／解除することができるばかりでなく、図３に示すようにシート体６０ごしにも互いに結合／解除することができる。
【００１７】
即ち、この実施形態例の締結具を使用すると、凸押しホック４１をシート体６０の一側に凹押しホック４２をシート体６０の他側においてから、それらをシート体６０ごしに互いに結合させると、紐３０をそれらと共にシート体６０に留めることができる。
そして、図４のように、この実施形態例は、マスク本体７０をシート体６０とし、マスク本体７０の左右両側縁７１、７２の中央近くにそれぞれ凹凸一対の押しホック４１、４２を他の凹凸一対の押しホック４１、４２と対称的に設置し、且つ、それらの紐３０の他端３２を互いに繋ぐようにしてそれらの全体をマスクとすることができる。こうすると、それらの他端３２が互いに繋がれている紐同士は合わせて、頭掛け紐として使用者の頭に掛けられ、マスク本体７０を使用者の鼻や口を覆うようにさせることができる。
【００１８】
次に、図５〜図７を参照しながら本考案の第２の実施形態例の締結具を説明する。図５は本実施形態例のシート体に留められた際の断面図であり、図６は本実施形態例のマスクの耳掛け紐として使用されている際の斜視図であり、図７は本実施形態例のマスクの頭掛け紐として使用されている際の斜視図である。
【００１９】
この実施形態例は、前記第１の実施形態例の締結具に、前記スナップ４０と同じ構成を有し、且つ、その一対の押しホック４１、４２における凹押しホック４２に前記第１の実施形態例における紐３０の他端３２が繋がれている他のスナップ４０を更に有するようにさせたものである。即ち、この実施形態例は、二対の押しホック４１、４２と、該二対の押しホック４１、４２それぞれにおける凹押しホック４２、４２の間に繋がれている紐３０とからなっている締結具である。この締結具により、マスク本体７０と合わせて、図５及び図６のように、そのマスク本体７０の左右両側縁７１、７２近くにそれぞれ一つの締結具（例えば左の一つの締結具）が他の一つの締結具（例えば右の一つの締結具）と対称的に設置されているマスクを構成することができ、または、マスク本体７０と合わせて、図５及び図７のように、そのマスク本体７０の上下両側縁７３、７４近くにそれぞれ一つの締結具（例えば上の一つの締結具）が他の一つの締結具（例えば下の一つの締結具）と対称的に設置されているマスクを構成することができる。この２種のマスクを使用すると、前者はマスク本体７０の左右両端縁にある紐３０、３０を耳掛け紐とし、後者は上下両端縁にある紐３０、３０を頭掛け紐として使用されることができる。
【００２０】
第２の実施形態例の締結具の他の構造は、前記第１の実施形態例のと同じなので、ここでその説明を省く。
【００２１】
そして、図８及び図９を参照しながら本考案の第３の実施形態例の締結具を説明する。図８は本実施形態例の組立断面図であり、図９は本実施形態例のマスクの耳掛け紐として使用されている際の斜視図である。
【００２２】
この実施形態例は、前記第１の実施形態例の締結具における前記紐３０の他端３２を前記一対の押しホック４１、４２における凸押しホック４１に繋いでなるものである。この締結具により、マスク本体７０と合わせて、図８及び図９のように、そのマスク本体７０の左右両側縁７１、７２における中央近くにそれぞれ一つの締結具（例えば左の一つの締結具）が他の一つの締結具（例えば右の一つの締結具）と対称的に設置されているマスクを構成することができる。
【００２３】
第３の実施形態例の締結具の他の構造は、前記第１の実施形態のとも同じなので、ここでその説明を省く。
【００２４】
さらに、ベッドカバーへの応用については、図１０を参照しながら本考案の第２の実施形態例の締結具を例として説明する。図１０は第２の実施形態例のベッドカバーの締結紐として使用されている際の斜視図である。
【００２５】
即ち、この応用例における締結具は、互いに結合／解除できる凹凸一対の押しホック４１（図１０にみえず）、４２からなっているスナップ４０と、その一端が前記一対の押しホック４１、４２における凹押しホック４２に繋がれている紐３０と、前記スナップ４０と同じ構成を有し、且つ、その一対の押しホック４１、４２における凹押しホック４２に前記紐３０の他端３２が繋がれている他のスナップ４０とを有する締結具である。
【００２６】
図示のベッドカバーは、カバー本体８１とカバー本体８１の四隅の内部にそれぞれ設置されている四つの前記締結具とからなっている。図示のように、このベッドカバーは、ベッド８０に敷かれる時各締結具の２の凹押しホック４２、４２の間に繋がれている紐３０によりベッド８０の四隅に引っ掛けてカバー本体８１を固定することができる。
【産業上の利用可能性】
【００２７】
前記のように、本考案による締結具は、シート体に縫着や結切りによらずに容易に取付けられたり取外されたりすることができるので、マスクやベッドカバーなどに応用される場合、マスク本体やカバー本体が取り替えられやすい。
それに、マスクの製作時に、マスク本体と紐をそれぞれ製作することができるので、簡単であるうえ、コストも従来より安い。
【図面の簡単な説明】
【００２８】
【図１】第１の実施形態例の分解斜視図である。
【図２】第１の実施形態例の組立断面図である。
【図３】第１の実施形態例のシート体に留められた際の断面図である。
【図４】第１の実施形態例のマスクの頭掛け紐として使用されている際の斜視図である。
【図５】第２の実施形態例のシート体に留められた際の断面図である。
【図６】第２の実施形態例のマスクの耳掛け紐として使用されている際の斜視図である。
【図７】第２の実施形態例のマスクの頭掛け紐として使用されている際の斜視図である。
【図８】第３の実施形態例の組立断面図である。
【図９】第３の実施形態例のマスクの耳掛け紐として使用されている際の斜視図である。
【図１０】第２の実施形態例のベッドカバーの締結紐として使用されている際の斜視図である。
【符号の説明】
【００２９】
３０     紐
３２     紐の他端
４０     スナップ
４１     凸押しホック
４１１   凸柱
４１２   通孔
４１３   円柱部
４１４   拡径部
４２     凹押しホック
４２１   係止孔
４２２   通孔
４２３   凹陥部
６０     シート体
７０     マスク本体
７１，７２，７３，７４   側縁
８０     ベッド
８１     カバー本体
【図１】
0003122495.tif 000003
【図２】
0003122495.tif 000004
【図３】
0003122495.tif 000005
【図４】
0003122495.tif 000006
【図５】
0003122495.tif 000007
【図６】
0003122495.tif 000008
【図７】
0003122495.tif 000009
【図８】
0003122495.tif 000010
【図９】
0003122495.tif 000011
【図１０】
0003122495.tif 000012